(57)【要約】  【課題】  簡単な構成でスクリーン交換時等における巻取パイプの回転を確実に規制することができるロールスクリーンを提供する。  【解決手段】  サイドプレート１４に回転可能に支持された巻取パイプ１６と、巻取パイプ１６に一端側が連結されて巻取パイプ１６に巻取り及び巻解き可能なスクリーン１８と、巻取パイプ１６に常時スクリーン１８の巻取り方向に回転させる力を加える巻取スプリング２０とを有し、サイドプレート１４と巻取パイプ１６との間にストッパとしての初巻調整装置２２のダイヤル３０を備えており、該ダイヤル３０の一部の外筒３０Ａを移動させて、巻取パイプ１６の回転を規制する。【選択図】  図２Ｂ
2005273141.tif 000002
【特許請求の範囲】
【請求項１】
ブラケット（１４）に回転可能に支持された巻取パイプ（１６）と、巻取パイプ（１６）に一端側が連結されて巻取パイプ（１６）に巻取り及び巻解き可能なスクリーン（１８）と、巻取パイプ（１６）に常時スクリーン（１８）の巻取り方向に回転させる力を加える巻取スプリング（２０）と、前記巻取スプリング（２０）の初巻きを調整する初巻調整装置と、を有するロールスクリーンにおいて、
ブラケット（１４）と巻取パイプ（１６）との間に設けられた、初巻調整装置（２２）の初巻調整用のダイヤル（３０）の少なくとも一部が巻取パイプ（１６）の軸方向にスライド可能であり、該スライド可能となったダイヤル（３０）の少なくとも一部が巻取パイプ（１６）に係合可能であることを特徴とするロールスクリーン。
【請求項２】
ブラケット（１４）に回転可能に支持された巻取パイプ（１６）と、巻取パイプ（１６）に一端側が連結されて巻取パイプ（１６）に巻取り及び巻解き可能なスクリーン（１８）と、巻取パイプ（１６）に常時スクリーン（１８）の巻取り方向に回転させる力を加える巻取スプリング（２０）と、を有するロールスクリーンにおいて、
巻取パイプ（１６）の端部の内部に収容され、巻取パイプ（１６）から出入可能となったストッパ（５２）を備えており、該ストッパ（５２）は、巻取パイプ（１６）から取り出されて、巻取パイプ（１６）と巻取パイプ（１６）以外の固定部との間に設置されて、巻取パイプ（１６）と巻取パイプ（１６）以外の固定部にそれぞれ係止可能であることを特徴とするロールスクリーン。
【請求項３】
ブラケット（１２、１４、１５）に回転可能に支持された巻取パイプ（１６）と、巻取パイプ（１６）に一端側が連結されて巻取パイプ（１６）に巻取り及び巻解き可能なスクリーン（１８）と、巻取パイプ（１６）に常時スクリーン（１８）の巻取り方向に回転させる力を加える巻取スプリング（２０）と、を有するロールスクリーンにおいて、
ブラケット（１２、１４、１５）に取り付けられたストッパ（５４、５５）を備えており、該ストッパ（５４、５５）は、巻取パイプ（１６）にその一部が係止した状態と、非係止となった状態との間を変位可能であることを特徴とするロールスクリーン。
【請求項４】
ブラケット（１４）に回転可能に支持された巻取パイプ（１６）と、巻取パイプ（１６）に一端側が連結されて巻取パイプ（１６）に巻取り及び巻解き可能なスクリーン（１８）と、巻取パイプ（１６）に常時スクリーン（１８）の巻取り方向に回転させる力を加える巻取スプリング（２０）と、を有するロールスクリーンにおいて、
巻取パイプ（１６）に形成された凹部（１６ｂ、１６ｂ−１）内に収容されると共に、その凹部（１６ｂ、１６ｂ−１）から突出可能となったストッパ（５６）を備えており、該ストッパ（５６）は、スクリーン（１８）が巻取パイプ（１６）から完全に巻解かれた状態で巻取パイプ（１６）から突出して、巻取パイプ（１６）と巻取パイプ（１６）以外の固定部との間に配置されて固定部に係止可能であることを特徴とするロールスクリーン。
【請求項５】
前記ストッパ（５６）は、前記凹部（１６ｂ、１６ｂ−１）から突出される方向に常時付勢されることを特徴とする請求項４記載のロールスクリーン。
【請求項６】
前記ストッパ（５２、５４）は、巻取パイプ（１６）の周面に形成された溝（１６ａ）に係止されることを特徴とする請求項２または３記載のロールスクリーン。
【発明の詳細な説明】
【技術分野】
【０００１】
本発明は、ロールスクリーンに関する。
【背景技術】
【０００２】
従来のロールスクリーンとしては、ブラケットに回転可能に支持された巻取パイプと、巻取パイプに一端側が連結されて巻取パイプに巻取り及び巻解き可能なスクリーンと、巻取パイプに常時スクリーンの巻取り方向に回転させる力を加える巻取スプリングとを有するものが知られている。スクリーンを巻取りパイプから巻解いて任意のところで止めると、巻取パイプに内蔵されたストッパが作動して巻取パイプの回転を停止させるので、スクリーンはその巻解き位置を保持することができるようになっている。ストッパ解除を行うと、巻取スプリングの力により巻取パイプはスクリーンを巻取ることができる。また、巻取スプリングには、巻取パイプがスクリーンを完全に巻取った状態においても巻取り方向のトルクを巻取パイプに印加することができるように初巻きが施されており、初巻調整によりその初期トルクを調整することができるようになっている。
【０００３】
ところで、スクリーンの交換または洗濯をするためには、巻取パイプに巻取られているスクリーンを完全に巻取パイプから巻解いてストッパを作動させた後、巻取パイプからスクリーンの一端側を取り外すことが行われる。
【０００４】
しかしながら、巻取パイプに内蔵されるストッパは、通常、巻取パイプに巻解き方向の回転を与えてしまうと解除されてしまうために、スクリーンの交換時等作業中に、誤って巻取パイプに巻解き方向の回転を与えてしまうと、スクリーンが取り付けられていないにもかかわらず、巻取パイプが巻取スプリングのトルクが解放されるまで回転してしまうという問題がある。このとき初期トルクが解除されてしまうために、スクリーンを巻取パイプに取り付けた後、初巻調整をはじめからやり直さなければならないという問題がある。
【０００５】
これに対して、特許文献１では、巻取パイプの回転端に固着される端末部材をブラケットに係止することで、巻取パイプの回転を止めるようにしたロールスクリーンが提案されている。
【０００６】
しかしながら、特許文献１記載の発明では、前記巻取パイプの回転端に固着される端末部材と、該端末部材をブラケットに選択的に係止させるための係止手段とを備えており、構造が複雑で部品点数が多くなるという問題がある。
【０００７】
【特許文献１】特開平１１−１１７６４６号公報
【発明の開示】
【発明が解決しようとする課題】
【０００８】
本発明はかかる課題に鑑みなされたもので、簡単な構成でスクリーン交換時等における巻取パイプの回転を確実に規制することができるロールスクリーンを提供することをその目的とする。
【課題を解決するための手段】
【０００９】
前述した目的を達成するために、請求項１記載の発明は、ブラケットに回転可能に支持された巻取パイプと、巻取パイプに一端側が連結されて巻取パイプに巻取り及び巻解き可能なスクリーンと、巻取パイプに常時スクリーンの巻取り方向に回転させる力を加える巻取スプリングと、前記巻取スプリングの初巻きを調整する初巻調整装置と、を有するロールスクリーンにおいて、
ブラケットと巻取パイプとの間に設けられた、初巻調整装置の初巻調整用のダイヤルの少なくとも一部が巻取パイプの軸方向にスライド可能であり、該スライド可能となったダイヤルの少なくとも一部が巻取パイプに係合可能であることを特徴とする。
【００１０】
請求項２記載の発明は、ブラケットに回転可能に支持された巻取パイプと、巻取パイプに一端側が連結されて巻取パイプに巻取り及び巻解き可能なスクリーンと、巻取パイプに常時スクリーンの巻取り方向に回転させる力を加える巻取スプリングと、を有するロールスクリーンにおいて、
巻取パイプの端部の内部に収容され、巻取パイプから出入可能となったストッパを備えており、該ストッパは、巻取パイプから取り出されて、巻取パイプと巻取パイプ以外の固定部との間に設置されて、巻取パイプと巻取パイプ以外の固定部にそれぞれ係止可能であることを特徴とする。
【００１１】
請求項３記載の発明は、ブラケットに回転可能に支持された巻取パイプと、巻取パイプに一端側が連結されて巻取パイプに巻取り及び巻解き可能なスクリーンと、巻取パイプに常時スクリーンの巻取り方向に回転させる力を加える巻取スプリングと、を有するロールスクリーンにおいて、
ブラケットに取り付けられたストッパを備えており、該ストッパは、巻取パイプにその一部が係止した状態と、非係止となった状態との間を変位可能であることを特徴とする。
【００１２】
請求項４記載の発明は、ブラケットに回転可能に支持された巻取パイプと、巻取パイプに一端側が連結されて巻取パイプに巻取り及び巻解き可能なスクリーンと、巻取パイプに常時スクリーンの巻取り方向に回転させる力を加える巻取スプリングと、を有するロールスクリーンにおいて、
巻取パイプに形成された凹部内に収容されると共に、その凹部から突出可能となったストッパを備えており、該ストッパは、スクリーンが巻取パイプから完全に巻解かれた状態で巻取パイプから突出して、巻取パイプと巻取パイプ以外の固定部との間に配置されて固定部に係止可能であることを特徴とする。
【００１３】
請求項５記載の発明は、請求項４記載の前記ストッパが、前記凹部から突出される方向に常時付勢されることを特徴とする。
【００１４】
請求項６記載の発明は、請求項２または３記載の前記ストッパが、巻取パイプの周面に形成された溝に係止されることを特徴とする。
【発明の効果】
【００１５】
請求項１記載の発明によれば、ブラケットと巻取パイプとの間に設けられた初巻調整装置のダイヤルの少なくとも一部がスライド可能となっているために、ダイヤルの少なくとも一部をスライドさせて巻取パイプに係合させて巻取パイプを固定することができ、これにより、スクリーン交換時等において、巻取パイプの回転を規制することができる。ダイヤルの少なくとも一部を利用して巻取パイプの回転を固定しているために、簡単な構成で、且つ確実に巻取パイプの回転を規制することができる。
【００１６】
請求項２記載の発明によれば、巻取パイプの端部の内部に収容されたストッパを取り出し、巻取パイプと巻取パイプ以外の固定部との間に設置して、巻取パイプと巻取パイプ以外の固定部にそれぞれ係止させて巻取パイプを固定することができ、これにより、スクリーン交換時等において、巻取パイプの回転を規制することができる。巻取パイプに出入可能なストッパを使用しているために、簡単な構成で、且つ確実に巻取パイプの回転を規制することができる。
【００１７】
請求項３記載の発明によれば、ブラケットに取り付けられたストッパを巻取パイプに係止した状態として、巻取パイプを固定することができ、これにより、スクリーン交換時等において、巻取パイプの回転を規制することができる。ブラケットに取り付けたストッパを使用しているために、簡単な構成で、且つ確実に巻取パイプの回転を規制することができる。
【００１８】
請求項４記載の発明によれば、巻取パイプの凹部に収容されたストッパを凹部から突出させ、巻取パイプと巻取パイプ以外の固定部との間に配置し、固定部に係止させて巻取パイプを固定することができ、これにより、スクリーン交換時等において、巻取パイプの回転を規制することができる。巻取パイプの凹部に突出可能に収容したストッパを使用しているために、簡単な構成で、且つ確実に巻取パイプの回転を規制することができる。
【００１９】
請求項５記載の発明によれば、ストッパを凹部から常時突出する方向に付勢することで、スクリーンを巻取パイプから巻解いた状態で、ストッパを自動的に突出させて、固定部に係止させることができる。
【００２０】
請求項６記載の発明によれば、巻取パイプの周面に形成されている溝、例えば、スクリーンの一端側を連結するためにスクリーンの一端部を挿入するための溝等を利用して、ストッパを巻取パイプに係止させることができる。
【発明を実施するための最良の形態】
【００２１】
以下、図面を用いて本発明の実施の形態を説明する。
【００２２】
（第１実施形態）
図１は本発明の実施形態にかかるロールスクリーンの全体正面図、図２はその一端部の正面から見た半断面図である。ロールスクリーン１０は、窓枠等にブラケット１１により固定されるセットフレーム１２に取り付けられる一対のサイドプレート１４と、一対のサイドプレート１４によって両端を回転可能に支持された巻取パイプ１６と、巻取パイプ１６に一端が連結され且つ巻取パイプ１６に巻取り・巻解き可能に吊下げられるスクリーン１８と、を主に備えている。
【００２３】
巻取パイプ１６内にはコイルスプリング（巻取スプリング）２０が収容されており、その一端は初巻調整装置２２を介してサイドプレート１４に間接的に固定され、その他端は巻取パイプ１６に固定される。サイドプレート１４には、プレートカバー１５が着脱可能に被着される。
【００２４】
前記セットフレーム１２、サイドプレート１４及びプレートカバー１５によって前記巻取パイプ１６を支持するブラケットが構成される。
【００２５】
巻取パイプ１６がスクリーン巻解き方向に回転されると、コイルスプリング２０の他端が巻取パイプ１６と一体に回転して蓄勢され、巻取パイプ１６の巻取り方向への回転が許容されるとコイルスプリング２０の蓄勢力によって巻取パイプ１６が巻取り方向へと回転し、スクリーンを巻取るようになっている。
【００２６】
巻取パイプ１６内には、その他端側に第１ストッパ２１が設けられる。第１ストッパ２１の構成は任意とすることができ、詳細説明は省略するが、巻取パイプ１６の巻取り方向の回転を許容する状態と規制する状態とに切り替え可能となっており、スクリーン１８の他端側を引き出した後、その引き出し動作を停止すると、第１ストッパ２１が作動して巻取パイプ１６の巻取り方向の回転を規制する。再びスクリーン１８の他端側を少し引き出すと、第１ストッパ２１が解除して巻取パイプ１６の巻取り、巻解きのいずれの方向の回転も可能となる。また、スクリーン１８の他端側がコイルスプリングの蓄勢力により上昇しているときに、スクリーン１８の他端側を少し下降させると、第１ストッパ２１が作動して巻取パイプ１６の回転を規制する。
【００２７】
前記初巻調整装置２２は、コイルスプリング２０の初巻き調整を行うための装置で、その構成は任意とすることができる。この例では、特許３３９３０４７号公報に記載された構成と同様の構成となっており、図４の分解斜視図で示したように、サイドプレート１４に固定されるクラッチドラム２６と、クラッチドラム２６に軸支される調整ドラム２８と、調整ドラム２８の外周に取り付けられ巻取パイプ１６とサイドプレート１４との間に配設される調整ダイヤル３０と、コイルスプリング２０の一端が固定されるプラグ３４に断面非円形シャフト３６を介して相対回転不能に連結される駆動ドラム３２と、調整ダイヤル３０の内周側に設けられたクラッチバネ３８と、を主として備えている。クラッチドラム２６のボス部２６ｃ（図５参照）には受けリング４０が軸受けされており、受けリング４０のフランジ４０ａとクラッチドラム２６の内側に突設された突設部２６ｂ（図２参照）との間にＣリング４２をはめ込み、該受けリング４０の図示しないネジ穴にねじ込まれるネジ４４、４４により駆動ドラム３２及び調整ドラム２８を共締めすることにより、駆動ドラム３２と調整ドラム２８とがクラッチドラム２６に回転可能に取り付けられている。
【００２８】
初巻調整装置２２の作用は、調整ドラム２８または調整ダイヤル３０のいずれかを操作して回転させると、クラッチバネ３８が緩み、その回転が駆動ドラム３２に伝達して、プラグ３４を回転させるので、コイルスプリング２０の一端が回転されて初巻きを調整することができるようになっている。その一方で、コイルスプリング２０の一端側が回転しようとした場合には、駆動ドラム３２が一緒に回転しようとするが、クラッチバネ３８が締まってクラッチドラム２６に締結されるので、駆動ドラム３２及びコイルスプリング２０の一端の回転は阻止されるようになっている。
【００２９】
前記調整ダイヤル３０は、外筒３０Ａと内筒３０Ｂとからなり、外筒３０Ａと内筒３０Ｂとは一体的に回転するが、外筒３０Ａは内筒３０Ｂに対して軸方向に移動可能となっている。但し、サイドプレート１４にプレートカバー１５が被着されている状態においては、図３に示すように、プレートカバー１５の内側の折曲部１５ａが外筒３０Ａのフランジ３０ｂに当接しており、外筒３０Ａの軸方向の移動は、規制されている（図３参照）。
【００３０】
また、前記調整ダイヤル３０は、巻取パイプ１６の端部に設けられるパイプキャップ１７に対向している。図６に示すように、そのパイプキャップ１７には、調整ダイヤル３０側の対向面において、切欠部１７ａが周方向に所定の間隔をあけて形成されている。前記調整ダイヤル３０の外筒３０Ａには、パイプキャップ１７側の対向面において、切欠部１７ａの大きさに適合し、内径方向に折曲された突部３０ａが、周方向に所定の間隔をあけて複数形成されている。
【００３１】
以上のように構成されるロールスクリーン１０において、スクリーン１８の交換または洗濯等をするためスクリーン１８を取り外す場合には、まず、プレートカバー１５を取り外して、スクリーン１８を完全に巻取パイプ１６から巻解き、第１ストッパ２１を動作させて巻取パイプ１６の回転を阻止させる。そして、調整ダイヤル３０の外筒３０Ａをパイプキャップ１７の方へと移動させて、図２Ｂに示すように、その複数の突部３０ａの１つをパイプキャップ１７の切欠部１７ａ内へと挿入する。このとき、突部３０ａの位置と切欠部１７ａとの位置とが周方向に一致していない場合には、調整ダイヤル３０を若干回転して、一致させた後に突部３０ａと切欠部１７ａとを嵌合する。次いで、巻取パイプ１６からスクリーン１８を取り外す。このときに、第１ストッパ２１によって巻取パイプ１６の巻取り方向の回転が阻止されているだけでなく、第２ストッパとして機能する調整ダイヤル３０の外筒３０Ａによって巻取パイプ１６の両方向の回転が阻止されている。つまり、調整ダイヤル３０の外筒３０Ａを回転させるためにクラッチバネ３８を解除するために必要なトルクが、巻取パイプ１６に作用するトルクに打ち勝っており、巻取パイプ１６は調整ダイヤル３０によって回転することができない。これにより、巻取パイプ１６が誤って巻解き方向の回転をして第１ストッパ２１が解除されることを防ぐことができる。こうして、巻取パイプ１６はスクリーン１８が完全に巻解かれた状態を維持しているので、その維持された状態での巻取パイプ１６にスクリーン１８を取り付けることで、スクリーン１８を取り外す前の状態に戻すことができ、コイルスプリング２０の初巻きも保持することができる。
【００３２】
（第２実施形態）
図７は、第２実施形態を表すロールスクリーンの一端部の正面から見た半断面図である。図において第１実施形態と同一・同様の部分・部材には、同一の符号を付し、詳細説明は省略する。
【００３３】
調整ドラム２８は、クラッチドラム２６の中心孔２６ａを抜けてサイドプレート１４に設けられた開口１４ａから露出する調整軸部２８ａを一端に有している。調整軸部２８ａ内には第２ストッパ５２が挿入されており、第２ストッパ５２は巻取パイプ１６の端部の内部に収容される形態となっている。
【００３４】
第２ストッパ５２は、プレートカバー１５が取り外れた状態で、調整軸部２８ａ、即ち巻取パイプ１６から出入自在である。スクリーン１８の交換または洗濯等をするためスクリーン１８を取り外す場合には、プレートカバー１５を取り外して、スクリーン１８を完全に巻取パイプ１６から巻解き、第１ストッパ２１を動作させて巻取パイプ１６の回転を阻止させる。そして、第２ストッパ５２を調整軸部２８ａから取り外し、図８に示すように、第２ストッパ５２の一端をスクリーン１８を取り外した後の巻取パイプ１６のスクリーン挿入溝１６ａに挿入し、第２ストッパ５２の他端をセットフレーム１２に引っ掛ける。こうして、第２ストッパ５２を巻取パイプ１６とセットフレーム１２との間に設置してそれぞれに係止させる。
【００３５】
第１ストッパ２１が不用意に解除されるとすると、巻取パイプ１６は、図８中左回りの巻取り方向に回転しようとするが、その回転を第２ストッパ５２が規制するために、巻取パイプ１６は回転できずにスクリーン１８が完全に巻解かれた状態を維持している。スクリーン１８を取り付けるときには、第２ストッパ５２をスクリーン挿入溝１６ａから取り外し第１ストッパ２１を確実に作動させた後、上記維持された状態での巻取パイプ１６にスクリーン１８を取り付けることで、スクリーン１８を取り外す前の状態に戻すことができ、コイルスプリング２０の初巻きも保持することができる。
【００３６】
以上の第２ストッパ５２は、６角レンチなどとすることができて、初巻きを調整する際には、その第２ストッパ５２を調整ドラム２８から引き出して回転させることにより、初巻調整のための工具として利用することもできる。
【００３７】
（第３実施形態）
図９は、第３実施形態を表すロールスクリーンの一端部の正面から見た半断面図である。図において前実施形態と同一・同様の部分・部材には、同一の符号を付し、詳細説明は省略する。
【００３８】
この例では、セットフレーム１２に第２ストッパ５４が取付けられており、第２ストッパ５４は、セットフレーム１２と平行な位置と、それよりも下方の巻取パイプ１６のスクリーン挿入溝１６ａに先端が挿入する位置との２つの位置の間を揺動可能となっており、２つの位置においてはその揺動角度が保持されるようになっている。常時は、第２ストッパ５４の揺動角度はセットフレーム１２と平行な位置に保持されており、巻取パイプ１６の回転を阻害しないようになっている。
【００３９】
スクリーン１８の交換または洗濯等をするためスクリーン１８を取り外す場合には、スクリーン１８を完全に巻取パイプ１６から巻解き、第１ストッパ２１を動作させて巻取パイプ１６の回転を阻止させる。そして、第２ストッパ５４を揺動させて、第２ストッパ５４の先端をスクリーン１８を取り外した後の巻取パイプ１６のスクリーン挿入溝１６ａに挿入して係止させる。
【００４０】
第１ストッパ２１が不用意に解除されるとすると、巻取パイプ１６は、図１０中左回りの巻取り方向に回転しようとするが、その回転を第２ストッパ５４が阻止するために、巻取パイプ１６は回転できずにスクリーン１８が完全に巻解かれた状態を維持している。よって、スクリーン１８を取り付けるときには、第２ストッパ５４をセットフレーム１２に平行な角度に戻し第１ストッパ２１を確実に作動させた後、上記維持された状態での巻取パイプ１６にスクリーン１８を取り付けることで、スクリーン１８を取り外す前の状態に戻すことができ、コイルスプリング２０の初巻きも保持することができる。
【００４１】
この第２ストッパ５４は、サイドプレート１４に取り付けることも可能である。
【００４２】
（第４実施形態）
図１１は、第４実施形態を表す側面図である。図において前実施形態と同一・同様の部分・部材には、同一の符号を付し、詳細説明は省略する。
【００４３】
この例では、サイドプレート１４に第２ストッパ５５が取り付けられており、第２ストッパ５５は、サイドプレート１４の外側面に形成された溝１４ｂに嵌め込められている。第２ストッパ５５は、その長手方向途中にある折曲部５５ａにおいて折曲自在となっており、折曲部５５ａよりも下方にある部分の先端には、係止鉤部５５ｂ（図１２参照）が形成されている。第２ストッパ５５は、溝１４ｂ内をその上方位置と下方位置との間で摺動可能となっており、該２つの位置においては溝１４ｂ内でその位置が保持されるようになっている。常時は、第２ストッパ５５は上方位置に保持されており、巻取パイプ１６の回転を阻害しないようになっている。
【００４４】
スクリーン１８の交換または洗濯等をするためスクリーン１８を取り外す場合には、スクリーン１８を完全に巻取パイプ１６から巻解き、第１ストッパ２１を動作させて巻取パイプ１６の回転を阻止させる。そして、第２ストッパ５５を下方位置へと摺動させて、折曲部５５ａで略直角に折曲させて、その先端の係止鉤部５５ｂをスクリーン１８を取り外した後の巻取パイプ１６のスクリーン挿入溝１６ａに挿入して係止させる。こうして、第２ストッパ５５は、第３実施形態の第２ストッパ５４と同様に作用させることができる。
【００４５】
尚、この第２ストッパ５５は、プレートカバー１５に設けることも可能である。
【００４６】
（第５実施形態）
図１３は、第５実施形態を表す全体正面図（部分断面図を含む）である。図において前実施形態と同一・同様の部分・部材には、同一の符号を付し、詳細説明は省略する。
【００４７】
この実施形態では、巻取パイプ１６の側面に凹部としての穴１６ｂが形成されており、この穴１６ｂ内には、図１４に示すように第２ストッパ５６が収容されている。第２ストッパ５６は、バネ５７によって穴１６ｂから飛び出す方向へと付勢されているが、常時は巻取パイプ１６に巻取られたスクリーン１８によってその飛び出しが阻止されている（図１４参照）。
【００４８】
スクリーン１８の交換または洗濯等をするためスクリーン１８を取り外す場合には、スクリーン１８を完全に巻取パイプ１６から巻解き、第１ストッパ２１を動作させて巻取パイプ１６の回転を阻止させる。そして、スクリーン１８を巻取パイプ１６から取り外すと、第２ストッパ５６が穴１６ｂから突出するので、その先端をセットフレーム１２に係止させる（図１５参照）。こうして、第２ストッパ５６は、巻取パイプ１６とセットフレーム１２との間に配置される。
【００４９】
第１ストッパ２１が不用意に解除されるとすると、巻取パイプ１６は、図１５中左回りの巻取り方向に回転しようとするが、その回転を第２ストッパ５６が阻止するために、巻取パイプ１６は回転できずにスクリーン１８が完全に巻解かれた状態を維持している。こうして維持された状態での巻取パイプ１６にスクリーン１８を取り付けることで、スクリーン１８を取り外す前の状態に戻すことができ、コイルスプリング２０の初巻きも保持することができる。スクリーン１８の一端を巻取パイプ１６に取り付けると、第２ストッパ５６は、穴１６ｂ内へと退没する。
【００５０】
（第６実施形態）
図１６及び図１７は、第６実施形態を表す図１４及び図１５相当図である。図において前実施形態と同一・同様の部分・部材には、同一の符号を付し、詳細説明は省略する。
【００５１】
この実施形態は、第４実施形態の変形例であり、巻取パイプ１６の凹部としての穴１６ｂ−１が、スクリーン挿入溝１６ａに連通して形成されており、スクリーン挿入溝１６ａを通過して外部に開口している点で第４実施形態と異なっている。
【００５２】
スクリーン１８の交換または洗濯等をするためスクリーン１８を取り外す場合には、スクリーン１８を完全に巻取パイプ１６から巻解き、第１ストッパ２１を動作させて巻取パイプ１６の回転を阻止させる。そして、スクリーン１８を巻取パイプ１６から取り外すべく、スクリーン１８の一端に取り付けられたスクリーン止めプレート１８ａをスクリーン挿入溝１６ａから取り外すと、第２ストッパ５６が穴１６ｂから突出するので、その先端をセットフレーム１２に係止させる（図１７参照）。こうして、第２ストッパ５６は、巻取パイプ１６とセットフレーム１２との間に配置され、第４実施形態と同様に作用させることができる。
【００５３】
尚、以上の実施形態では、ストッパによって巻取パイプ１６を係止させるときにスクリーン挿入溝１６ａを利用していたが、これに限るものではなく、巻取パイプ１６の任意の被係止部にストッパを係止させることができる。
【図面の簡単な説明】
【００５４】
【図１】本発明の実施形態にかかるロールスクリーンの全体正面図である。
【図２Ａ】図１のロールスクリーンの一端部の正面から見た半断面図であり、プレートカバーを取り外した状態を示す。
【図２Ｂ】図１のロールスクリーンの一端部の正面から見た半断面図であり、図２Ａから初巻調整用のダイヤルをスライドさせた状態を示す。
【図３】図１のロールスクリーンの一端部の正面半断面図であり、プレートカバーを取り付けた状態を示す。
【図４】図１のロールスクリーンの初巻調整装置の分解斜視図である。
【図５】図２の５−５線に沿って見た断面図である。
【図６】調整ダイヤルとパイプキャップとのそれぞれの対向面の方向から見た図である。
【図７】本発明の第２実施形態にかかるロールスクリーンの一端部の正面から見た半断面図である。
【図８】図７の８−８線に沿って見た断面図である（但し、スクリーンは取り外した状態となっており、巻取パイプの内部構造は省略する）。
【図９】本発明の第３実施形態にかかるロールスクリーンの一端部の正面から見た半断面図である。
【図１０】図９の１０−１０線に沿って見た断面図である（但し、スクリーンは取り外した状態となっており、巻取パイプの内部構造は省略する）。
【図１１】本発明の第４実施形態を表す側面図である。
【図１２】第４実施形態のストッパが作用する状態を表す下方から見たロールスクリーンの一端部の斜視図である。
【図１３】本発明の第５実施形態を表す全体正面図（部分断面図を含む）である。
【図１４】巻取パイプにスクリーンが巻き取られている状態における図１３の１４−１４線に沿って見た断面図である。
【図１５】第５実施形態の巻取パイプからスクリーンが取り外されてストッパが作用した状態を表す図１４相当図である。
【図１６】本発明の第６実施形態の、巻取パイプにスクリーンが巻き取られている状態における図１４相当図である。
【図１７】第６実施形態の巻取パイプからスクリーンが取り外されてストッパが作用した状態を表す図１５相当図である。
【符号の説明】
【００５５】
１０  ロールスクリーン
１２  セットフレーム
１４  サイドプレート（ブラケット）
１６  巻取パイプ
１６ａ  スクリーン挿入溝
１６ｂ  穴（凹部）
１８  スクリーン
２０  コイルスプリング（巻取スプリング）
２２  初巻調整装置
３０  調整ダイヤル
３０Ａ  外筒（ストッパ）
５２、５４、５６、  第２ストッパ（ストッパ）
【図１】
2005273141.tif 000003
【図２Ａ】
2005273141.tif 000004
【図２Ｂ】
2005273141.tif 000005
【図３】
2005273141.tif 000006
【図４】
2005273141.tif 000007
【図５】
2005273141.tif 000008
【図６】
2005273141.tif 000009
【図７】
2005273141.tif 000010
【図８】
2005273141.tif 000011
【図９】
2005273141.tif 000012
【図１０】
2005273141.tif 000013
【図１１】
2005273141.tif 000014
【図１２】
2005273141.tif 000015
【図１３】
2005273141.tif 000016
【図１４】
2005273141.tif 000017
【図１５】
2005273141.tif 000018
【図１６】
2005273141.tif 000019
【図１７】
2005273141.tif 000020